(57)【要約】【課題】凝集効果が長期維持されるバイオ式凝集剤を提供する。【解決手段】バイオ式凝集剤は、生分解性の凝集剤を本剤とし、その本剤にその凝集性能を維持せしめる機能を有する食品添加剤が混合されてなる、ことを特徴とする【選択図】なし【特許請求の範囲】
【請求項１】
生分解性の凝集剤を本剤とし、該本剤にその凝集性能を維持せしめる機能を有する食品添加剤が混合されてなる、
ことを特徴とするバイオ式凝集剤。
【請求項２】
請求項１に記載されたバイオ式凝集剤において、
上記食品添加剤は常温で分解する性質を有する、
ことを特徴とするバイオ式凝集剤。
【請求項３】
請求項２に記載されたバイオ式凝集剤において、
上記常温で分解する性質を有する食品添加剤は生分解性である、
ことを特徴とするバイオ式凝集剤。
【発明の詳細な説明】
【０００１】
【発明の属する技術分野】
本発明は、バイオ式凝集剤に関する。
【０００２】
【従来の技術】
浄化槽の汚泥をコンポスト化するための凝集剤として無機系凝集剤や高分子凝集剤が使用されている。
【０００３】
特許文献１には、浄化槽汚泥、下水生汚泥、消化汚泥、生し尿汚泥等の有機汚泥に無洗浄下で硫酸鉄を添加混和して凝集を生ぜしめ、さらにＣａＯ５０〜５６％、ＳｉＯ２２０〜３０％、Ａｌ２Ｏ３７〜１０％、ＳＯ３４〜１０％を主成分とする多孔性無機添加剤と高分子凝集剤とを添加、混和して凝集を進行せしめて脱水し、堆肥化する有機汚泥の処理方法が開示されている。そして、このようにすれば、洗浄を行うことなく凝集が迅速かつ大幅に進行し、脱水性がきわめて良好となり、廉価な薬剤費で、かつ安価な濾過機で効率よく脱水処理が行え、しかも得られた脱水汚泥の水分率は大幅に低下し堆肥の原料としてそのまま好適に使用することができるので、醗酵も極めて速やかに進行し、安価なコンポストが得られるのみならず、無機添加剤の使用により多量の堆肥として必要な有機物を含有するので肥料効果の大きなコンポストが得られる、と記載されている。
【０００４】
ところで、生活排水や食品加工排水等の汚泥をコンポスト化して農地に還元する場合、汚泥のコンポスト化に際して無機系凝集剤や合成高分子凝集剤を用いると、それに由来する発ガン性物質等の有害物質が農地に残留して蓄積されることとなる。そこで、自然界に還元された場合に悪影響がないように、微生物の分泌物の多糖類や蛋白質からなる生分解性の天然高分子凝集剤が注目されている。
【０００５】
特許文献２には、アルギン酸ナトリウム等の増粘・安定剤や天然品の各種多糖類を下水処理場・農業集落廃水処理場の余剰汚泥の脱水に用いることが開示されている。そして、これによれば、環境汚染を解決してコンポスト化を実現できる、と記載されている。
【０００６】
【特許文献１】
特開昭６１−２２０８００号公報
【特許文献２】
特開平１１−１１６９５４号公報
【０００７】
【発明が解決しようとする課題】
ところが、生分解性の凝集剤は、雑菌により腐敗し易く、凝集効果の維持日数が無機系凝集剤や高分子凝集剤に比べて短いという問題がある。
【０００８】
この問題の対策として、凝集剤タンクに冷却器を設けたり、凝集剤タンクを完全密閉式のものとすることが考えられる。しかしながら、前者の場合では冷却器を駆動するエネルギーが必要であり、また、後者の場合でも雑菌の混入を防止することは不可能に近い。
【０００９】
本発明は、かかる点に鑑みてなされたものであり、その目的とするところは、凝集効果が長期維持されるバイオ式凝集剤を提供することにある。
【００１０】
【課題を解決するための手段】
上記の目的を達成する本発明のバイオ式凝集剤は、生分解性の凝集剤を本剤とし、該本剤にその凝集性能を維持せしめる機能を有する食品添加剤が混合されてなることを特徴とする。
【００１１】
上記の構成によれば、本剤である凝集剤の凝集性能を維持せしめる機能を有する食品添加剤が混合されているので、本剤が延命されて凝集効果が長期維持される。また、食品添加剤であることから、このバイオ式凝集剤を用いて汚泥を凝集させてできたコンポストに仮にそれが残留しても安全性は確保されることとなる。ここで、食品添加剤により本剤である凝集剤の凝集効果が維持されるのは、その殺菌作用により雑菌の増殖が抑制され、それによって凝集剤の腐食が阻止されるためである。
【００１２】
本発明のバイオ式凝集剤は、上記食品添加剤が常温で分解する性質を有するものであるのが好ましい。
【００１３】
上記の構成によれば、汚泥が凝集して形成されたコンポストにもはや不要となった凝集剤成分が残留して蓄積されるのが防止される。ここで、常温で分解する性質とは、加熱により分解する熱分解を除き、常温での自己分解性や微生物の存在によってそれによって分解される生分解性をいう。
【００１４】
本発明のバイオ式凝集剤は、上記食品添加剤が生分解性であるのがさらに好ましい。
【００１５】
自己分解性の食品添加剤は例えば温度条件等に分解特性が変化するため、凝集剤の凝集効果の維持特性のバラツキが生じやすいが、上記の構成によれば、食品添加剤が凝集剤と同様に微生物により分解される生分解性なので、比較的安定であり、自己分解性のものに比べて凝集剤の凝集効果の維持特性のバラツキが生じにくい。
【００１６】
【発明の実施の形態】
以下、本発明の実施形態を図面に基づいて詳細に説明する。
【００１７】
本発明の実施形態に係るバイオ式凝集剤は、微生物により分解される生分解性の凝集剤を本剤とし、それにその凝集性能を維持せしめる機能を有する食品添加剤が混合されたもので構成されたものであり、例えば、生活排水や食品加工排水等の汚泥を凝集させて農地還元用のコンポストを形成するのに使用されるものである。
【００１８】
この本剤である生分解性の凝集剤としては、例えば、
オーレオバシジウム（Ａｕｒｅｏｂａｓｉｄｉｕｍ  Ｐｕｌｌｕｌａｎｓ）培養分泌物、
アセトバクター  キシリナム（Ａｃｅｔｏｂａｃｔｅｒ  ｘｙｌｉｎｕｍ）培養分泌物、
アスペルギルス  パラシチクス（Ａｓｐｅｒｇｉｌｌｕｓ  ｐａｒａｓｉｔｉｃｕｓ）培養分泌物、
パエシロミセス（Ｐａｅｃｉｌｏｍｙｃｅｓ）Ｉ−１培養分泌物、
アルカリゲネス  フェカリス（Ａｌｃａｌｉｇｅｎｅｓ  ｆａｅｃａｌｉｓ）培養分泌物、
ザントモナス  キャンペストリス（Ｘａｎｔｈｏｍｏｎａｓ  ｃａｍｐｅｓｔｒｉｓ）培養分泌物、
及び、ロイコノストック  メセンテロイデス（Ｌｅｕｃｏｎｏｓｔｏｃ  ｍｅｓｅｎｔｅｒｏｉｄｅｓ）培養分泌物
を成分とする微生物産生多糖類からなるものや
アスペルギルス  ニダランス（Ａｓｐｅｒｇｉｌｌｕｓ  ｎｉｄｕｌａｎｓ）培養分泌物、
及び、ムコール  ルキシー（Ｍｕｃｏｒ  ｒｏｕｘｉｉ）培養分泌物
を成分とする微生物産生多糖類からなるものや
バシラス  サブティラス（Ｂａｃｉｌｌｕｓ  ｓｕｂｔｉｌｓ）培養分泌物、
及び、ストレプトミセス  アルブス  （Ｓｔｒｅｐｔｏｍｙｃｅｓ  ａｌｂｕｌｕｓ）培養分泌物
を成分とする微生物産生ポリアミノ酸からなるもの、
その他各種キトサン、α−Ｄ−グルコース直鎖状多糖、黒酵母菌の水溶性多糖、精製アルギン酸ナトリウム、工業用カチオン化ガラクトマンナンを挙げることができる。
【００１９】
本剤である凝集剤の凝集性能を維持せしめる機能を有する食品添加剤としては、例えば、安息香酸、安息香酸ナトリウム、イマザリル、ウド抽出物、エゴノキ抽出物、オルトフェニルフェノール、オルトフェニルフェノールナトリウム、過酸化水素、カワラヨモギ抽出物、ギ酸、ギ酸エチル、酵素分解ハトムギ抽出物、高度サラシ粉、次亜塩素酸水、次亜塩素酸ナトリウム、ジフェニル、しらこ蛋白抽出物、ソルビン酸、ソルビン酸カリウム、チアベンタゾール、ツヤプリシン（抽出物）、デヒロド酢酸ナトリウム、パラオキシ安息香酸イソブチル、パラオキシ安息香酸イソプロピル、パラオキシ安息香酸エチル、パラオキシ安息香酸ブチル、パラオキシ安息香酸プロピル、プロピオン酸、プロピオン酸カルシウム、プロピオン酸ナトリウム、ペクチン分解物、ホオノキ抽出物、ε−ポリリシン、レンギョウ抽出物を挙げることができる。食品添加剤により本剤である凝集剤が凝集性能を維持せしめられるが、その機能は、殺菌作用により雑菌の増殖を抑制して本剤の腐食を阻止する機能である。
【００２０】
本発明のバイオ式凝集剤では、本剤である凝集剤に対する食品添加剤の混合割合は、特に限定されるものではない。
【００２１】
また、単一種の凝集剤からなる本剤に単一種の食品添加剤を混合したものに限らず、複数種の凝集剤からなる本剤に単一種の食品添加剤を混合したものや単一種の凝集剤からなる本剤に複数種の食品添加剤を混合したものや複数種の凝集剤からなる本剤に複数種の食品添加剤を混合したものであってもよい。
【００２２】
さらに、凝集剤及び食品添加剤の他の成分を含んでいてもよい。
【００２３】
以上のような本発明のバイオ凝集剤によれば、本剤である凝集剤の凝集性能を維持せしめる機能を有する食品添加剤が混合されているので、本剤が延命されて凝集効果が長期維持される。しかも、本剤である凝集剤に混合されているのが食品添加剤であることから、このバイオ式凝集剤を用いて汚泥を凝集させてできたコンポストに仮にそれが残留しても安全性は確保されることとなる。
【００２４】
また、汚泥の凝集により形成されたコンポストに、コンポスト化後には不要の凝集剤成分が残留して蓄積されるのは好ましくない。従って、食品添加剤としては、常温で分解する性質を有するものであることが好ましい。
【００２５】
さらに、自己分解性の食品添加剤は例えば温度条件等に分解特性が変化するため、本剤である凝集剤の凝集効果の維持特性のバラツキが生じやすい。そのため、食品添加剤としては、本剤と同様に微生物により分解される生分解性のものが、自己分解性のものに比べて本剤の凝集効果の維持特性のバラツキが生じにくく好適である。例えば、上記で挙げたもののうち、ウド抽出物、エゴノキ抽出物、カワラヨモギ抽出物、酵素分解ハトムギ抽出物、しらこ蛋白抽出物、ツヤプリシン（抽出物）、ペクチン分解物、ホオノキ抽出物、ε−ポリリシン、レンギョウ抽出物は生分解性である。
【００２６】
バイオ式凝集剤の態様は、本剤である固体（粉末状等）の凝集剤に固体（粉末状等）の食品添加剤を混合した固体状のものであっても、本剤である固体（粉末状等）の凝集剤及び固体乃至液体（粉末状、ゲル状、液体状等）の食品添加剤を水に溶解させた溶液状のものであってもよい。
【００２７】
なお、本発明のバイオ凝集剤を構成する本剤である凝集剤及び食品添加剤は、上記のものに限定されるものではない。
【００２８】
【発明の効果】
以上説明したように、本発明によれば、本剤である凝集剤の凝集性能を維持せしめる機能を有する食品添加剤が混合されているので、本剤である凝集剤が延命されてその凝集効果を長期維持させることができる。また、食品添加剤であることから、このバイオ式凝集剤を用いて汚泥を凝集させてできたコンポストに仮にそれが残留しても安全性を確保することができる。